(57)【要約】【課題】複数のレンズを有するレンズ装置において、レンズ位置の調整を容易且つ正確に行うことができるようにすることである。【解決手段】光軸を軸方向に合わせて配置される複数のレンズと、前記複数のレンズのうちの第１レンズを保持する第１レンズ枠と、前記複数のレンズのうちの第２レンズを保持する第２レンズ枠と、を備え、前記第１レンズ枠は、前記第２レンズ枠と接して、前記第２レンズ枠よりも前記軸方向の一方側に配置され、前記第２レンズ枠は、前記軸方向の他方側から前記軸方向の一方側に貫通する貫通孔を備え、前記貫通孔を介してエアを吸引排気することで、前記第１レンズ枠と前記第２レンズ枠を一時的に真空吸着固定することを特徴とする。【選択図】図１
2020071411.tif 000002
【特許請求の範囲】
【請求項１】
光軸を軸方向に合わせて配置される複数のレンズと、
前記複数のレンズのうちの第１レンズを保持する第１レンズ枠と、
前記複数のレンズのうちの第２レンズを保持する第２レンズ枠と、
を備え、
前記第１レンズ枠は、前記第２レンズ枠と接して、前記第２レンズ枠よりも前記軸方向の一方側に配置され、
前記第２レンズ枠は、前記軸方向の他方側から前記軸方向の一方側に貫通する貫通孔を備え、
前記貫通孔を介してエアを吸引排気することで、前記第１レンズ枠と前記第２レンズ枠を一時的に真空吸着固定することを特徴とするレンズ装置。
【請求項２】
請求項１に記載のレンズ装置であって、
前記第２レンズ枠は、前記軸方向の一方側の面に、前記貫通孔と連通し前記軸方向の他方側に凹む溝部を有する、
ことを特徴とするレンズ装置。
【請求項３】
請求項２に記載のレンズ装置であって、
前記溝部は、環状である、
ことを特徴とするレンズ装置。
【請求項４】
請求項１から３のいずれか１項に記載のレンズ装置であって、
前記軸方向に貫通する筒孔を有する筒形状である本体をさらに有し、
前記第１レンズ及び前記第２レンズ枠は、前記筒孔に収容される、
ことを特徴とするレンズ装置。
【請求項５】
請求項４に記載のレンズ装置であって、
前記第１レンズ及び前記第２レンズ枠を前記本体に固定する固定部をさらに有する、
ことを特徴とするレンズ装置。
【請求項６】
請求項１から５のいずれか１項に記載のレンズ装置であって、
前記第２レンズ枠は、前記軸方向に並ぶ複数のレンズ枠である、
ことを特徴とするレンズ装置。
【発明の詳細な説明】
【技術分野】
【０００１】
本発明は、複数のレンズを配置して成るレンズ装置に関する。
【背景技術】
【０００２】
例えば対物レンズのようなレンズ装置は、複数のレンズから成るレンズ群によって構成される。複数のレンズのそれぞれは例えばレンズ枠に固定され、このレンズ枠が鏡筒（本体）に収容されて固定される。このとき、鏡筒内での各レンズの位置によっては、レンズ装置として求められる性能を発揮することができないことがある。そこで、レンズ装置として求められる性能を引き出すために、例えばレンズの位置の調整を行う必要がある。
【０００３】
特許文献１は、レンズをレンズ枠に固定する際の偏芯調整について開示している。特許文献１に記載の発明では、レンズを納めるレンズ枠に、レンズの光学面を当接して載置することなく、レンズ保持具に保持し、レンズ光軸とレンズ枠の中心軸を、偏り（シフト）と傾き（チルト）を調節することにより一致させるようにしている。この特許文献１に記載の発明によれば、レンズの芯出しに影響するレンズ枠の加工精度を上げることなく、高精度にレンズの偏芯調整をすることができるとしている。
【０００４】
また、特許文献２は、レンズ枠を鏡筒と呼び、レンズを装着した鏡筒をレンズホルダーに収納する構造における、レンズ枠（鏡筒）の取付調整方法について開示している。特許文献２に記載の発明では、鏡筒を取付調整治具で吸着してレンズホルダー内を移動可能にすることで、レンズホルダー内の鏡筒の位置を調整することができるようにしている。
【先行技術文献】
【特許文献】
【０００５】
【特許文献１】特開２００６−３３０２１０号公報
【特許文献２】特開平３−１３６０１１号公報
【発明の概要】
【発明が解決しようとする課題】
【０００６】
ところで、レンズが固定されたレンズ枠を鏡筒に収容して成るレンズ装置は、完成品においては、鏡筒内でレンズ（すなわちレンズ枠）が固定されている必要がある。一方、レンズ位置を調整する際には、レンズ枠が鏡筒内で完全には固定されておらず、移動可能でなければならない。このため、レンズ位置を調整する際にはレンズ枠を仮固定し、調整が済んだら完全に固定することが考えられる。しかし、この場合、仮固定の固定力に反してレンズ枠を移動させることになり、精密な調整が困難であるという問題があった。
【０００７】
また、レンズ位置を調整する際には、レンズ枠に外部から触れて移動させることが考えられるが、完成品のレンズ装置の鏡筒はレンズ枠に外部から接触することができる開口が多数あるとレンズ位置がずれるおそれがあるので、収容されたレンズ枠に外部から接触することができる開口は必要最小限であることが望ましい。このため、レンズ位置を調整する際には、鏡筒の代わりに、側面に開口を有する調整用本体を用いることが考えられる。この場合、位置調整を行った後のレンズ群を、調整用本体から抜き出して鏡筒に収容することになるが、従来は、複数のレンズを調整が済んだ状態で固定する手段がなく、どのレンズ枠同士の間にどのサイズのスペーサを入れるといった情報を記憶しておき、これを鏡筒内で再現するしかなかった。この場合、特に、鏡筒に収容するレンズが多数になると、調整が済んだ状態を再現するのが困難であるという問題があった。
【０００８】
特許文献１に記載の発明では、レンズをレンズ枠に固定する際の調整については開示しているが、複数のレンズ枠を鏡筒に収容するレンズ装置の調整については何ら開示していない。
【０００９】
また、特許文献２に記載の発明では、一つのレンズ枠をレンズホルダーに収容する場合の調整について開示しているものの、複数のレンズ枠を鏡筒に収容するレンズ装置の調整については何ら開示していない
【００１０】
本発明は以上のような課題を解決するためになされたものであり、複数のレンズを有するレンズ装置において、レンズ位置の調整を容易且つ正確に行うことができるようにすることを目的とする。
【課題を解決するための手段】
【００１１】
上記課題を解決するために、本発明は、光軸を軸方向に合わせて配置される複数のレンズと、前記複数のレンズのうちの第１レンズを保持する第１レンズ枠と、前記複数のレンズのうちの第２レンズを保持する第２レンズ枠と、を備え、前記第１レンズ枠は、前記第２レンズ枠と接して、前記第２レンズ枠よりも前記軸方向の一方側に配置され、前記第２レンズ枠は、前記軸方向の他方側から前記軸方向の一方側に貫通する貫通孔を備え、前記貫通孔を介してエアを吸引排気することで、前記第１レンズ枠と前記第２レンズ枠を一時的に真空吸着固定することを特徴とする。
本発明によれば、複数のレンズを有するレンズ装置において、レンズ位置の調整を容易且つ正確に行うことができる。
また本発明によれば、例えば、側面に開口を有する調整用本体に、第１レンズ枠及び第２レンズ枠を収容して調整を行う。このとき、第１レンズ枠及び第２レンズ枠を仮固定する必要がなく、固定力に反する必要がなく、容易に精密な調整を行うことができる。
また本発明によれば、調整用本体に収容した状態で調整が済んだ後は、第２レンズ枠の貫通孔の軸方向他方側から例えば真空ポンプによって空気を吸引することで、第２レンズ枠の貫通孔の軸方向一方側で第１レンズ枠を吸着し、調整が済んだ状態で第１レンズ枠及び第２レンズ枠を固定することができる。この固定した状態でレンズ群を調整用本体から抜き出して鏡筒に収容することで、調整が済んだ状態を維持することができる。レンズが３つ以上の場合は、第２レンズ枠を増やせばよい。
【００１２】
また本発明は、前記第２レンズ枠は、前記軸方向の一方側の面に、前記貫通孔と連通し前記軸方向の他方側に凹む溝部を有する、ことを特徴とする。
本発明によれば、第２レンズ枠の貫通孔の軸方向他方側から真空ポンプによって空気を吸引することで、第２レンズ枠の貫通孔の軸方向一方側、及び第２レンズ枠の軸方向一方側の溝部で第１レンズ枠を吸着することができ、調整が済んだ状態で第１レンズ枠及び第２レンズ枠をより安定して固定することができる。
【００１３】
また本発明は、前記溝部は、環状である、ことを特徴とする。
本発明によれば、第２レンズ枠の貫通孔の軸方向他方側から真空ポンプによって空気を吸引することで、第２レンズ枠の貫通孔の軸方向一方側、及び第２レンズ枠の環状の溝部で第１レンズ枠を吸着することができ、調整が済んだ状態で第１レンズ枠及び第２レンズ枠をより安定して固定することができる。
【００１４】
また本発明は、前記軸方向に貫通する筒孔を有する筒形状である本体をさらに有し、前記第１レンズ及び前記第２レンズ枠は、前記筒孔に収容される、ことを特徴とする。
本発明によれば、本体（鏡筒）にレンズ群を収容したレンズ装置を提供することができる。
【００１５】
また本発明は、前記第１レンズ及び前記第２レンズ枠を前記本体に固定する固定部をさらに有する、ことを特徴とする。
本発明によれば、調整が済んだ状態で固定した第１レンズ及び第２レンズ枠を本体（鏡筒）に収容し、固定部によって第１レンズ及び第２レンズ枠を本体（鏡筒）内で固定した後に、真空ポンプによる吸引を停止することで、調整が済んだ状態を維持することができる。
【００１６】
また本発明は、前記第２レンズ枠は、前記軸方向に並ぶ複数のレンズ枠である、ことを特徴とする。
本発明によれば、レンズが３つ以上の場合にも対応することができる。
【発明の効果】
【００１７】
本発明によれば、複数のレンズを有するレンズ装置において、レンズ位置の調整を容易且つ正確に行うことができる。
上記した以外の課題、構成および効果は、以下の実施形態の説明により明らかにされる。
【図面の簡単な説明】
【００１８】
【図１】本発明の実施例１に係るレンズ装置を示す斜視図である。
【図２】図１に示したレンズ装置１のＩＩ−ＩＩ断面図であり、中心軸Ｌに沿った面における断面図である。
【図３】図２に示したレンズ枠１１及びレンズ１４ａを示す側断面図である。
【図４】図２に示したレンズ枠１２ａ及びレンズ１４ｂを示す側断面図である。
【図５】図２に示したレンズ枠１２ｂ及びレンズ１４ｃを示す側断面図である。
【図６】図２に示したレンズ枠１２ｃ及びレンズ１４ｄを示す側断面図である。
【図７】図２の矢印ＶＩＩ−ＶＩＩで示す位置でのレンズ装置１の断面図である。
【図８】図２の矢印ＶＩＩＩ−ＶＩＩＩで示す位置でのレンズ装置１の断面図である。
【図９】図２の押え環１３を軸方向一方側から見た側面図である。
【発明を実施するための形態】
【００１９】
以下、本発明に係るレンズ装置について、図面を参照しながら詳細に説明する。なお、以下の図面においては、各構成をわかり易くするために、実際の構造と各構造における縮尺、数等を異ならせる場合がある。
【００２０】
また、図面においては、適宜３次元直交座標系としてＸＹＺ座標系を示す。ＸＹＺ座標系において、Ｚ軸方向は、図１に示すように正の側を上側とし、負の側を下側とする鉛直方向である。また、鉛直方向の正の側を、「鉛直方向一方側」と呼び、鉛直方向の負の側を、「鉛直方向他方側」と呼ぶ。Ｙ軸方向は、図１に示す一方向に延びる中心軸Ｌと平行な方向であり、鉛直方向と直交する方向である。以下の説明においては、中心軸Ｌと平行な方向、すなわちＹ軸方向を「軸方向」と呼ぶ。また、軸方向の正の側を、「軸方向一方側」と呼び、軸方向の負の側を、「軸方向他方側」と呼ぶ。Ｘ軸方向は、軸方向及び鉛直方向の両方と直交する方向である。以下の説明においては、Ｘ軸方向を「幅方向」と呼ぶ。また、幅方向の正の側を「幅方向一方側」と呼び、幅方向Ｘの負の側を「幅方向他方側」と呼ぶ。
【００２１】
また、中心軸Ｌを中心とする径方向を単に「径方向」と呼び、中心軸Ｌを中心とする軸回りである周方向θを単に「周方向」と呼ぶ。また、周方向θにおいて、軸方向他方側から軸方向一方側に向かって視て、時計回りに進む側、すなわち図において周方向θを示す矢印の進む側を「周方向一方側」と呼び、反時計回りに進む側、すなわち図において周方向θを示す矢印の進む側と逆側を「周方向他方側」と呼ぶ。
【００２２】
なお、鉛直方向、軸方向、幅方向、上側及び下側とは、単に各部の相対位置関係を説明するための名称であり、実際の配置関係等は、これらの名称で示される配置関係等以外の配置関係等であってもよい。また、本明細書において、前後左右上下などの向きは、図面において見た向きを示すものであり、本発明に係る装置を使用する際の向きを限定するものではない。
【００２３】
なお、本明細書において、Ｘ軸方向、Ｙ軸方向またはＺ軸方向に延びる、とは、厳密にＸ軸方向、Ｙ軸方向またはＺ軸方向に延びる場合に加えて、Ｘ軸方向、Ｙ軸方向またはＺ軸方向に対して、４５°未満の範囲で傾いた方向に延びる場合も含む。
【実施例１】
【００２４】
（レンズ装置１の構造）
図１は、本発明の実施例１に係るレンズ装置を示す斜視図である。図２は、図１に示したレンズ装置１のＩＩ−ＩＩ断面図であり、中心軸Ｌに沿った面における断面図である。レンズ装置１は鏡筒（本体）１０に、レンズ１４ａ、１４ｂ、１４ｃ及び１４ｄを収容して構成される。鏡筒１０は、軸方向他方側から軸方向一方側に貫通し、レンズ枠１１、１２ａ、１２ｂ及び１２ｃが摺動可能な筒孔１０ｄを有する。鏡筒１０及び鏡筒１０の筒孔１０ｄの中心は、中心軸Ｌに沿って配置されている。筒孔１０ｄの軸方向一方側には、軸方向他方側よりも軸方向一方側が小径である段差部１０ｂを有する。筒孔１０ｄの軸方向他方側の開口位置において、鏡筒１０は内周にネジ部１０ｃを有する。レンズ枠１１、１２ａ、１２ｂ及び１２ｃの外径は、筒孔１０ｄの内径よりもわずかに小さい。これにより、筒孔１０ｄにレンズ枠１１、１２ａ、１２ｂ及び１２ｃを挿入可能である。なお、レンズ枠１２ｃの外径は、レンズ枠１１、１２ａ及び１２ｂの外径よりもわずかに小さい。したがって、筒孔１０ｄの内径とレンズ枠１２ｃの外径との間の隙間は、筒孔１０ｄの内径とレンズ枠１１、１２ａ及び１２ｂの外径との間の隙間よりも大きい。この筒孔１０ｄの内径とレンズ枠１２ｃの外径との間の隙間があることで、偏心調整穴１０ａ、１０ｅ、１０ｆ及び１０ｇを介してレンズ枠１２ｃの外周面に触れることでレンズ群の偏心調整を行うことができる。
【００２５】
図３は、図２に示したレンズ枠１１及びレンズ１４ａを示す側断面図である。レンズ１４ａは、レンズ枠１１に固定される。レンズ１４ａ及びレンズ枠１１の中心は、中心軸Ｌに沿って配置されている。レンズ枠１１は、軸方向一方側の端面である端面１５ａ及び軸方向他方側の端面である端面１５ｃを有するとともに、軸方向に貫通する孔１５ｆ、１５ｇ及び１５ｈを有する環状部材である。孔１５ｆ、１５ｇ及び１５ｈの中心は、中心軸Ｌに沿って配置されている。孔１５ｈの径は、レンズ枠１１に固定されるレンズ１４ａの外径よりもわずかに大きい。孔１５ｇの径は、レンズ１４ａの外径よりも小さい。この孔１５ｇの径と孔１５ｈの径との差によって段差部１５ｂを形成している。軸方向他方側から孔１５ｈに嵌め込まれたレンズ１４ａは、径方向外側の縁部分が段差部１５ｂに当接し、これ以上、軸方向一方側に進まないように固定される。レンズ枠１１へのレンズ１４ａの固定は、例えば接着剤によって行ってもよい。孔１５ｆの径は、孔１５ｈの径よりも大きい。孔１５ｆ、１５ｇ及び１５ｈの径の大きさは、固定するレンズ１４ａの外径の大きさに応じて定めることができる。
【００２６】
図４は、図２に示したレンズ枠１２ａ及びレンズ１４ｂを示す側断面図である。レンズ１４ｂは、レンズ枠１２ａに固定される。レンズ１４ｂ及びレンズ枠１２ａの中心は、中心軸Ｌに沿って配置されている。レンズ枠１２ａは、軸方向一方側の端面である端面１６ａ及び軸方向他方側の端面である端面１６ｃを有するとともに、軸方向に貫通する孔１６ｆ、１６ｇ及び１６ｈを有する環状部材である。孔１６ｆ、１６ｇ及び１６ｈの中心は、中心軸Ｌに沿って配置されている。孔１６ｈの径は、レンズ枠１２ａに固定されるレンズ１４ｂの外径よりもわずかに大きい。孔１６ｇの径は、レンズ１４ｂの外径よりも小さい。この孔１６ｇの径と孔１６ｈの径との差によって段差部１６ｂを形成している。軸方向他方側から孔１６ｈに嵌め込まれたレンズ１４ｂは、径方向外側の縁部分が段差部１６ｂに当接し、これ以上、軸方向一方側に進まないように固定される。レンズ枠１２ａへのレンズ１４ｂの固定は、例えば接着剤によって行ってもよい。孔１６ｆの径は、孔１６ｈの径よりも大きい。孔１６ｆ、１６ｇ及び１６ｈの径の大きさは、固定するレンズ１４ｂの外径の大きさに応じて定めることができる。
【００２７】
レンズ枠１２ａは、孔１６ｆよりも径方向外側且つレンズ枠１２ａの外周よりも径方向内側の位置に、軸方向他方側から軸方向一方側へ貫通する貫通孔１６ｅを有する。貫通孔１６ｅは中心軸Ｌに沿って延びる。また、レンズ枠１２ａは、端面１６ａにおいて、軸方向他方側に凹む溝部１６ｄを有する。溝部１６ｄは、中心軸Ｌを中心とする軸回りである周方向に延びる円形状（環状）である。
【００２８】
図５は、図２に示したレンズ枠１２ｂ及びレンズ１４ｃを示す側断面図である。レンズ１４ｃは、レンズ枠１２ｂに固定される。レンズ１４ｃ及びレンズ枠１２ｂの中心は、中心軸Ｌに沿って配置されている。レンズ枠１２ｂは、軸方向一方側の端面である端面１７ａ及び軸方向他方側の端面である端面１７ｃを有するとともに、軸方向に貫通する孔１７ｆ、１７ｇ及び１７ｈを有する環状部材である。孔１７ｆ、１７ｇ及び１７ｈの中心は、中心軸Ｌに沿って配置されている。孔１７ｈの径は、レンズ枠１２ｂに固定されるレンズ１４ｃの外径よりもわずかに大きい。孔１７ｇの径は、レンズ１４ｃの外径よりも小さい。この孔１７ｇの径と孔１７ｈの径との差によって段差部１７ｂを形成している。軸方向他方側から孔１７ｈに嵌め込まれたレンズ１４ｃは、径方向外側の縁部分が段差部１７ｂに当接し、これ以上、軸方向一方側に進まないように固定される。レンズ枠１２ｂへのレンズ１４ｃの固定は、例えば接着剤によって行ってもよい。孔１７ｆの径は、孔１７ｈの径よりも大きい。孔１７ｆ、１７ｇ及び１７ｈの径の大きさは、固定するレンズ１４ｃの外径の大きさに応じて定めることができる。
【００２９】
レンズ枠１２ｂは、孔１７ｆよりも径方向外側且つレンズ枠１２ｂの外周よりも径方向内側の位置に、軸方向他方側から軸方向一方側へ貫通する貫通孔１７ｅを有する。貫通孔１７ｅは中心軸Ｌに沿って延びる。また、レンズ枠１２ｂは、端面１７ａにおいて、軸方向他方側に凹む溝部１７ｄを有する。溝部１７ｄは、中心軸Ｌを中心とする軸回りである周方向に延びる円形状である。
【００３０】
図６は、図２に示したレンズ枠１２ｃ及びレンズ１４ｄを示す側断面図である。レンズ１４ｄは、レンズ枠１２ｃに固定される。レンズ１４ｄ及びレンズ枠１２ｃの中心は、中心軸Ｌに沿って配置されている。レンズ枠１２ｃは、軸方向一方側の端面である端面１８ａ及び軸方向他方側の端面である端面１８ｃを有するとともに、軸方向に貫通する孔１８ｆ、１８ｇ及び１８ｈを有する環状部材である。孔１８ｆ、１８ｇ及び１８ｈの中心は、中心軸Ｌに沿って配置されている。孔１８ｈの径は、レンズ枠１２ｃに固定されるレンズ１４ｄの外径よりもわずかに大きい。孔１８ｇの径は、レンズ１４ｄの外径よりも小さい。この孔１８ｇの径と孔１８ｈの径との差によって段差部１８ｂを形成している。軸方向他方側から孔１８ｈに嵌め込まれたレンズ１４ｄは、径方向外側の縁部分が段差部１８ｂに当接し、これ以上、軸方向一方側に進まないように固定される。レンズ枠１２ｃへのレンズ１４ｄの固定は、例えば接着剤によって行ってもよい。孔１８ｆの径は、孔１８ｈの径よりも大きい。孔１８ｆ、１８ｇ及び１８ｈの径の大きさは、固定するレンズ１４ｄの外径の大きさに応じて定めることができる。
【００３１】
レンズ枠１２ｃは、孔１８ｆよりも径方向外側且つレンズ枠１２ｃの外周よりも径方向内側の位置に、軸方向他方側から軸方向一方側へ貫通する貫通孔１８ｅを有する。貫通孔１８ｅは中心軸Ｌに沿って延びる。また、レンズ枠１２ｃは、端面１８ａにおいて、軸方向他方側に凹む溝部１８ｄを有する。
【００３２】
図７は、図２の矢印ＶＩＩ−ＶＩＩで示す位置でのレンズ装置１の断面図である。鏡筒１０は、Ｚ軸方向の一方側において径方向に貫通する偏心調整穴１０ａと、Ｚ軸方向の他方側において径方向に貫通する偏心調整穴１０ｅと、Ｘ軸方向の一方側において径方向に貫通する偏心調整穴１０ｆと、Ｘ軸方向の他方側において径方向に貫通する偏心調整穴１０ｇと、を有する。図２に示すように、偏心調整穴１０ａ、１０ｅ、１０ｆ及び１０ｇは、軸方向において、筒孔１０ｄに収容されたレンズ枠１２ｃの外周面に対向する位置に設けられている。
【００３３】
図８は、図２の矢印ＶＩＩＩ−ＶＩＩＩで示す位置でのレンズ装置１の断面図である。図８に示すように、本実施例では、溝部１８ｄは、端面１８ａにおいて軸方向の他方側に凹み、中心軸Ｌを中心とする軸回りである周方向に延びる円形状（環状）であるが、本発明において、溝部１８ｄは、円形状に限られるものではなく、例えば円弧形状であってもよい。レンズ枠１２ａとレンズ枠１２ｂとレンズ枠１２ｃとは、固定するレンズの大きさに応じて内径が異なるが、そのほかの構成は同じである。
【００３４】
図９は、図２の押え環１３を軸方向一方側から見た側面図である。押え環１３は、軸方向の一方側の端面である端面１９ａ及び軸方向他方側の端面である端面１９ｃを有するとともに、軸方向に貫通する孔１３ｂを有する環状部材である。押え環１３は、その外周に、鏡筒１０のネジ部１０ｃと嵌め合うネジ部１３ａを有する。押え環１３は、孔１９ｃよりも径方向外側且つ押え環１３の外周よりも径方向の内側の位置に、軸方向の他方側から軸方向の一方側へ貫通する貫通孔１９ｅを有する。貫通孔１９ｅは中心軸Ｌに沿って延びる。また、押え環１３は、端面１９ａにおいて、軸方向の他方側に凹む溝部１９ｄを有する。
【００３５】
（レンズ装置１の調整方法）
レンズ装置１の調整としては、例えば、レンズ同士の間隔を調整する間隔調整、各レンズの調芯、各レンズの軸回り回転位置の調整を行う。本実施例では、図１に示した鏡筒１０の一時的な代わりとなる、調整作業が容易に行えるように開けられた開放部を有する調整用本体に、各レンズを収容した状態で調整を行う。
【００３６】
調整用本体は、側面に開口を有することで、レンズ１４ａ、１４ｂ、１４ｃ及び１４ｄが固定されたレンズ枠１１、１２ａ、１２ｂ及び１２ｃを収容した状態において、レンズ枠同士の間にスペーサを挿入するなどしてレンズ間隔を調整したり、各レンズの偏芯調整をしたり、各レンズの回転位置の調整をしたり、といった各調整を行うことができる。調整用本体は、他の構成においては、鏡筒１０と同じである。このため、調整用本体の詳しい説明は省略する。
【００３７】
調整用本体は、中心軸Ｌに沿って延びて軸方向に貫通する筒孔を有する。調整用本体の筒孔には、鏡筒１０の段差部１０ｂに相当する段差部を有する。調整用本体の筒孔の軸方向の他方側の開口から、端面１５ａを軸方向の一方側に向けてレンズ枠１１を調整用本体の筒孔に収容し、収容したレンズ枠１１を軸方向の一方側に摺動させると、レンズ枠１１の軸方向の一方側の端面１５ａが調整用本体の筒孔の段差部に当接し、レンズ枠１１は、これ以上、軸方向の一方側に摺動不可能な位置に達する。
【００３８】
調整用本体の筒孔の軸方向の他方側の開口から、レンズ枠１１に続いてレンズ枠１２ａを調整用本体の筒孔に収容し、収容したレンズ枠１２ａを軸方向の一方側に摺動させると、レンズ枠１２ａの軸方向の一方側の端面１６ａがレンズ枠１１の軸方向の他方側の端面１５ｃに当接し、レンズ枠１２ａは、これ以上、軸方向の一方側に摺動不可能な位置に達する。
【００３９】
次に、調整用本体の筒孔の軸方向の他方側の開口から、レンズ枠１２ａに続いてレンズ枠１２ｂを調整用本体の筒孔に収容し、収容したレンズ枠１２ｂを軸方向の一方側に摺動させると、レンズ枠１２ｂの軸方向の一方側の端面１７ａがレンズ枠１２ａの軸方向の他方側の端面１６ｃに当接し、レンズ枠１２ｂは、これ以上、軸方向の一方側に摺動不可能な位置に達する。
【００４０】
次に、調整用本体の筒孔の軸方向の他方側の開口から、レンズ枠１２ｂに続いてレンズ枠１２ｃを調整用本体の筒孔に収容し、収容したレンズ枠１２ｃを軸方向の一方側に摺動させると、レンズ枠１２ｃの軸方向の一方側の端面１８ａがレンズ枠１２ｂの軸方向の他方側の端面１７ｃに当接し、レンズ枠１２ｃは、これ以上、軸方向の一方側に摺動不可能な位置に達する。
【００４１】
調整用本体の筒孔に、レンズ枠１１、１２ａ、１２ｂ及び１２ｃを収容した状態で、調整用本体の筒孔の軸方向の他方側の開口に押え環１３をねじ込む。押え環１３のねじ込みにより、押え環１３の軸方向の一方側の端面１９ａはレンズ枠１２ｃの軸方向の他方側の端面１８ｃに当接し、調整用本体の筒孔の段差部と押え環１３との間に、レンズ枠１１、１２ａ、１２ｂ及び１２ｃが固定される。このとき、各調整に応じて、レンズ枠１１、１２ａ、１２ｂ及び１２ｃを移動させるときは押え環１３を緩めることで容易に調整を行うことができる。具体的な調整の方法は、既知の方法を用いればよいので、詳しい説明は省略する。
【００４２】
調整用本体の筒孔に収容した、レンズ１４ａ、１４ｂ、１４ｃ及び１４ｄが固定されたレンズ枠１１、１２ａ、１２ｂ及び１２ｃの調整が完了したならば、押え環１３のねじ込みの緩みを締め、調整用本体内にレンズ枠１１、１２ａ、１２ｂ及び１２ｃを固定する。その後、押え環１３の貫通孔１９ｅの、押え環１３の端面１９ｃ側の開口から、例えば真空ポンプにより真空吸引を行う。この貫通孔１９ｅを介した真空吸引により、レンズ枠１２ｃは押え環１３に真空固定される。
【００４３】
また、貫通孔１９ｅを介した真空吸引により、レンズ枠１２ｃの貫通孔１８ｅを介した真空吸引も行われる。この貫通孔１８ｅを介した真空吸引により、レンズ枠１２ｂはレンズ枠１２ｃに真空固定される。
【００４４】
また、貫通孔１８ｅを介した真空吸引により、レンズ枠１２ｂの貫通孔１７ｅを介した真空吸引も行われる。この貫通孔１７ｅを介した真空吸引により、レンズ枠１２ａはレンズ枠１２ｂに真空固定される。
【００４５】
また、貫通孔１７ｅを介した真空吸引により、レンズ枠１２ａの貫通孔１６ｅを介した真空吸引も行われる。この貫通孔１６ｅを介した真空吸引により、レンズ枠１１はレンズ枠１２ａに真空固定される。
【００４６】
なお、貫通孔１６ｅ、貫通孔１７ｅ及び貫通孔１８ｅそれぞれの軸方向の他方側の開口は、溝部１７ｄ、溝部１８ｄ及び溝部１９ｄそれぞれと連通するように、径方向位置を一致させることが望ましい。しかし、必ずしも一致させずとも真空吸引時の漏れ吸引により、押え環１３の端面１９ｃ側の開口から真空吸引を行うと、貫通孔１６ｅ、貫通孔１７ｅ及び貫通孔１８ｅによる吸引も行われ、真空固定される。
【００４７】
真空吸引により、押え環１３とレンズ枠１２ｃとレンズ枠１２ｂとレンズ枠１２ａとレンズ枠１１とは真空固定される。この状態で、押え環１３の調整用本体へのねじ込みを外し、調整用本体の筒孔の軸方向の他方側の開口から押え環１３を抜き出しても、真空固定により、レンズ枠１１、レンズ枠１２ａ、レンズ枠１２ｂ、レンズ枠１２ｃのレンズ群は、調整が完了した状態で、押え環１３に一体化された状態が維持されている。このままの状態で、鏡筒１０の筒孔１０ｄの軸方向の他方側の開口から、レンズ枠１１の端面１５ａを軸方向の一方側に向けて、レンズ枠１１、レンズ枠１２ａ、レンズ枠１２ｂ及びレンズ枠１２ｃのレンズ群を筒孔１０ｄに挿入する。続いて、レンズ枠１１の端面１５ａが筒孔１０ｄの段差部１０ｂに当接するまで、押え環１３をねじ込み、レンズ枠１１、レンズ枠１２ａ、レンズ枠１２ｂ及びレンズ枠１２ｃを鏡筒１０内に固定する。その後、真空ポンプによる真空吸引を終了する。これにより、レンズ枠１１、レンズ枠１２ａ、レンズ枠１２ｂ及びレンズ枠１２ｃのレンズ群を、調整が完了した状態で鏡筒１０に収容することができる。なお、レンズ群の最終的な偏芯調整は、偏心調整穴１０ａ、１０ｅ、１０ｆ及び１０ｇを介して、レンズ枠１２ｃの外周面に触れることで行うことができる。
【００４８】
なお、本実施例では、レンズ枠１１、１２ａ、１２ｂ及び１２ｃの４つのレンズ枠が鏡筒１０の筒孔１０ｄに収容されるが、本発明はこれに限られるものではなく、２つ以上のレンズ枠が筒孔１０ｄに収容されるものであればよい。
【００４９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５０】
１…レンズ装置、１０…鏡筒、１１…レンズ枠、１２ａ…レンズ枠、１２ｂ…レンズ枠、１２ｃ…レンズ枠、１３…押え環、１４ａ…レンズ、１４ｂ…レンズ、１４ｂ…レンズ、１４ｂ…レンズ。
【図１】
2020071411.tif 000003
【図２】
2020071411.tif 000004
【図３】
2020071411.tif 000005
【図４】
2020071411.tif 000006
【図５】
2020071411.tif 000007
【図６】
2020071411.tif 000008
【図７】
2020071411.tif 000009
【図８】
2020071411.tif 000010
【図９】
2020071411.tif 000011